(57)【要約】【課題】定電流切換用スイッチの誤操作が容易に防止できるようにしたテレビジョンカメラシステムを提供すること。【解決手段】電源部４Ａから供給される定電流Ｉの値を定電流値検出回路３２で検出し、大小２種の定電流値の内で、大きい方が検出されたときは、ダイオード３３とコンデンサ３４、抵抗３５、それに電圧比較器３６からなる時定数回路により電子スイッチ３０をオフにするようにし、これにより、カメラ１Ａの電源がオンオフを繰り返し、このことがモニターの画像により認識できるようにしたもの。【選択図】　図１
2004096547.tif 000002
【特許請求の範囲】
【請求項１】
カメラ部と電源分離部及び電源部を備え、前記電源部の定電流源から映像信号伝送用の線路を介して前記カメラ部に直流電力を供給する方式のテレビジョンカメラシステムにおいて、
前記電源分離部に、前記カメラ部に供給される定電流値を検出する電流検出比較回路と、前記電流検出比較回路の出力により動作する時定数回路と、前記時定数回路の出力信号により動作するスイッチ回路を設け、
前記電流検出比較回路は、前記カメラ部に供給される定電流値が予め設定してある基準電流値を越えたとき検知信号を発生し、前記時定数回路は、前記検知信号が入力されたときから所定時間が経過するまで前記出力信号を発生し、前記スイッチ回路は、前記出力信号が入力されたとき前記カメラ部に対する電力の供給を遮断することを特徴とするテレビジョンカメラシステム。
【請求項２】
請求項１に記載のテレビジョンカメラシステムにおいて、
前記電源部が、前記線路の電圧を検出する電圧検出回路と、前記定電流値を大小２種に切換える定電流値切換回路を備え、
前記電圧検出回路は、前記線路の電圧が所定の周期で変化したとき切換信号を発生し、前記定電流値切換回路は、前記切換信号が発生したとき、前記定電流値を前記大小２種の内の小さい方に切換えることを特徴とするテレビジョンカメラシステム。
【発明の詳細な説明】
【０００１】
【発明の属する技術分野】
本発明は、電源部から映像信号伝送用の同軸ケーブルを介してカメラ側に電力を供給する方式のテレビジョンカメラシステムに係り、特に監視用に好適なテレビジョンカメラシステムに関する。
【０００２】
【従来の技術】
従来から各種監視用にテレビジョンカメラが使用されるようになっているが、このとき、工事が簡単で安価に設置できることから、映像信号伝送用の同軸ケーブルなどの線路にカメラの電源を重畳するようにした、いわゆるシングルケーブル方式のテレビジョンカメラシステムが近年広く普及している。
【０００３】
ここで、図７は、従来技術によるシングルケーブル方式のテレビジョンカメラシステムの一例で、カメラ（テレビジョンカメラ）１と電源分離部２、同軸ケーブル３、それに電源部４を用い、この電源部４から同軸ケーブル３を介して電圧Ｖ１の直流電力をカメラ１に供給するようにしたものである。
【０００４】
この場合、まずカメラ１から出力された映像信号Ｓは、交流結合用のコンデンサ５を介して端子６に供給された後、同軸ケーブル３を経由して電源部３の端子７に伝送される。
【０００５】
そして、この端子７から交流結合用のコンデンサ８と増幅器９を経由して映像出力コネクタ１０に供給され、ここから図示してない映像モニターなどに接続されるようになっている。
【０００６】
一方、電源部４には、電流決定用抵抗１１とトランジスタ１２で構成された定電流回路があり、これにより、例えば電圧３５Ｖの直流電源ＶＣＣ　から端子７と同軸ケーブル３を介してカメラ側の電源分離部２に定電流Ｉが供給されるが、このときカメラ側ではコンデンサ５が、そして電源部側ではコンデンサ８が夫々直流電圧を阻止し、不要な部分に直流が印加されないようにしている。
【０００７】
この結果、電源分離部２のトランジスタ１４と抵抗１５、コンデンサ１６、それにシャントレギュレータ１７で構成された定電圧回路により、電源部４から供給された定電流Ｉから、例えば電圧２０Ｖの一定の電圧Ｖ１に変換された直流電圧ＥＣＣ　がカメラ１に供給され、これにより、カメラ１の撮像動作が保証されることになる。
【０００８】
このとき、電源部４の定電流回路から供給される定電流Ｉの値は、カメラ１の消費分の最大値に余裕分を含めて、例えば２０５ｍＡに設定され、このため、どんなカメラも、仕様として一応は２０５ｍＡを越えない消費電流に抑えた設計がなされている。
【０００９】
ところで近年は、カメラの低消費電力化が進み、カメラ１が必要とする電流値も、例えば１３０ｍＡとかなり低減されてきており、従って、このような仕様のカメラを使用した場合には、電源部４から供給される電流値２０５ｍＡの内、７５ｍＡはシャントレギュレータ１７で消費されてしまうことになり、大きな発熱を伴ってしまう。
【００１０】
つまり、この場合は、カメラ１の消費電力がいくら低減できたとしても、カメラ側の消費電力としては変わりなく、無駄に電力が消費されてしまうばかりか、シャントレギュレータ１０に大電流が流れるので、発熱が著しくなり、故障の可能性すら生じてしまう。
【００１１】
そこで、従来は、図８に示すように、抵抗２０、２１と、手動のスイッチ２２を追加して、定電流回路から供給される定電流値が切換えられるようにした電源部４を用い、これにより、例えば２０５ｍＡ仕様のカメラと１６０ｍＡ仕様のカメラの双方に適切に対応できるようにしていた。なお、１６０ｍＡ仕様とした理由は、上記した１３０ｍＡに余裕を見ているからである。
【００１２】
ここで、この図８の電源部４では、抵抗２０は、１６０ｍＡの定電流に対応した抵抗値Ｒ１６０　にしてあり、抵抗２１は、抵抗２０に並列に接続したとき、これらの合成抵抗値が２０５ｍＡの定電流Ｉに対応した抵抗値Ｒ２０５　になるように、すなわちＲ２０５＝Ｒ１６０・ＲＡ／（Ｒ１６０＋ＲＡ）が成立するような抵抗値ＲＡ　にしてある。
【００１３】
従って、スイッチ２２をオフにしておけば定電流値１６０ｍＡ仕様のカメラに対応させ、オンにすれば定電流値２０５ｍＡ仕様のカメラに対応させることができることになり、仕様が異なったカメラに対しても、同じ電源部４を用いて常に消費電力の最適化が得られることになる。
【００１４】
【発明が解決しようとする課題】
上記従来技術は、スイッチが適切に操作されていることの確認に配慮がされておらず、誤操作の防止に問題があった。
【００１５】
従来技術では、例えば１６０ｍＡ仕様のカメラに対して、２０５ｍＡのスイッチ設定で動作させたとしても、直ちに異常が発生する訳ではない。従って、スイッチ操作の確認を怠ると、１６０ｍＡ仕様のカメラに、２０５ｍＡ設定のままで対応してしまう虞れがある。
【００１６】
そうすると、この場合は、シャントレギュレータ１０に過電流が流れたままになって大きな発熱を伴い、長く放置されてしまうと故障の可能性が生じてしまうが、しかし、この場合でも特に報知がされる訳では無いので、誤操作が防止できないのである。
【００１７】
本発明の目的は、定電流切換用スイッチの誤操作が容易に防止できるようにしたテレビジョンカメラシステムを提供することにある。
【００１８】
また、本発明の他の目的は、定電流切換用スイッチの切換操作を不要にできるようにしたテレビジョンカメラシステムを提供することにある。
【００１９】
【課題を解決するための手段】
上記目的は、カメラ部と電源分離部及び電源部を備え、前記電源部の定電流源から映像信号伝送用の線路を介して前記カメラ部に直流電力を供給する方式のテレビジョンカメラシステムにおいて、前記電源分離部に、前記カメラ部に供給される定電流値を検出する電流検出比較回路と、前記電流検出比較回路の出力により動作する時定数回路と、前記時定数回路の出力信号により動作するスイッチ回路を設け、前記電流検出比較回路は、前記カメラ部に供給される定電流値が予め設定してある基準電流値を越えたとき検知信号を発生し、前記時定数回路は、前記検知信号が入力されたときから所定時間が経過するまで前記出力信号を発生し、前記スイッチ回路は、前記出力信号が入力されたとき前記カメラ部に対する電力の供給を遮断するようにして達成される。
【００２０】
上記手段によれば、例えば１６０ｍＡ仕様のカメラが２０５ｍＡの定電流で駆動されたとすると、カメラの電源が自動的にオン、オフを繰り返すようになるので、直ちに誤操作が認識でき、必要な対応をとることができる。
【００２１】
同じく上記他の目的は、前記電源部が、更に前記線路の電圧を検出する電圧検出回路と、前記定電流値を大小２種に切換える定電流値切換回路を備え、前記電圧検出回路は、前記線路の電圧が所定の周期で変化したとき切換信号を発生し、前記定電流値切換回路は、前記切換信号が発生したとき、前記定電流値を前記大小２種の内の小さい方に切換えるようにしても達成される。
【００２２】
上記手段によれば、カメラの電源がオン、オフを繰り返すようになると、電源部の定電圧値が自動的に変更されるので、そのまま撮像動作を継続させることができる。
【００２３】
【発明の実施の形態】
以下、本発明によるテレビジョンカメラシステムについて、図示の実施の形態により詳細に説明する。
【００２４】
まず、図１は、本発明の第１の実施形態で、図において、１Ａは消費電流が１６０ｍＡ仕様のカメラで、２Ａは１６０ｍＡ仕様のカメラに組合わされた電源分離部を表わすが、同軸ケーブル３と電源部４は図８で説明した従来技術によるテレビジョンカメラシステムと同じである。
【００２５】
そして、この電源分離部２Ａにおいて、３０は電圧制御形のスイッチ、３１は定電流値検出用の抵抗、３２は定電流値検出回路、３３は時定数回路用のダイオード、３４は時定数回路用のコンデンサ、３５は時定数回路用の抵抗、３６は電圧比較器であり、その他は、これも図８で説明した従来技術によるテレビジョンカメラシステムと同じである。
【００２６】
スイッチ３０はアナログスイッチなどと呼ばれている回路素子で、制御電圧Ｖ３がレベル０のときはオン（導通）に保たれ、所定のレベルになったときだけオフ（遮断）される、いわゆるノーマリークローズド（常閉）形の電子スイッチとして働く。
【００２７】
抵抗３１はいわゆるシャント抵抗で、電源部４からカメラ１に供給されている定電流Ｉを電圧（電圧降下）Ｖｘ　に変換する働きをし、検出された電圧Ｖｘ　は定電流値検出回路３２に入力される。
【００２８】
定電流値検出回路３２は電圧Ｖｘ　を入力し、そのレベルが所定値以上になったとき、検知信号として、波高値ＰＶ　で所定の幅のパルスＰを発生し、このパルスＰをダイオード３３を介してコンデンサ３４と抵抗３５の並列回路に供給する働きをする。
【００２９】
そこで、この定電流値検出回路３２としては、例えば電圧比較器とモノステーブルマルチバイブレータ（単安定マルチバイブレータ）を用い、電圧Ｖｘ　が所定値以上になったとき、電圧比較器により出力を発生させ、この出力によりモノステーブルマルチバイブレータがトリガされ、パルスＰが発生されるようにしてやればよい。
【００３０】
ここで、この例において、電圧Ｖｘ　のレベルが所定値以上になるのは、電源部４からカメラ１に供給される定電流Ｉの値が２０５ｍＡ以上になったときとなるように、シャント抵抗３１の抵抗値と定電流値検出回路３２の判定値が設定してある。
【００３１】
コンデンサ３４と抵抗３５は時定数回路を構成し、ダイオード３３を介して定電流値検出回路３２からパルスＰが入力されると、このパルスの波高値ＰＶ　の電圧にコンデンサ３４が充電された後、抵抗３５で放電され、所定の時定数をもって低下する電圧Ｖ２を発生する働きをする。
【００３２】
電圧比較器３６は、電圧Ｖ２のレベルを基準電圧ＶＡと比較し、電圧Ｖ２が基準電圧ＶＡ以下になっているとき、つまりＶ２≦ＶＡになっているとき、制御電圧Ｖ３を発生する働きをする。そして、この制御電圧Ｖ３は電子スイッチ３０に供給され、オフする働きをする。
【００３３】
次に、この図１の実施形態の動作について説明する。ここで、この図では、上記したように、消費電流が１６０ｍＡ仕様のカメラ１Ａと、同じく１６０ｍＡ仕様の電源分離部２Ａが電源部４に組合わされている。
【００３４】
ここで、いま、電源部４のスイッチ２２が、図示のようにオフされていたとする。そうすると、このときは、カメラ側に供給される定電流Ｉの値は１６０ｍＡになるので、シャントレギュレータ１７の損失は仕様範囲内にとどまる。
【００３５】
また、この結果、電源分離部２Ａのシャント抵抗３０に流れる電流値も１６０ｍＡになるので、定電流値検出回路３２からパルスは発生されず、この結果、スイッチ３０はオンに保たれたままになる。
【００３６】
従って、このときは、カメラ１Ａによる撮像動作はそのまま続行され、且つ、シャントレギュレータ１７の発熱も仕様範囲内に収まり、このままで正常に動作が継続されることになる。
【００３７】
一方、このとき、当初から、或いは誤操作により、電源部４のスイッチ２２が図示とは反対にオンになっていたとすると、今度はカメラ側に供給される定電流Ｉの値は２０５ｍＡになってしまう。
【００３８】
この結果、シャントレギュレータ１７の損失は仕様範囲を越え、このまま動作が継続されてしまったとすると加熱の虞れが生じてしまうが、このときは、電源分離部２Ａのシャント抵抗３０に流れる電流値が２０５ｍＡになるので、定電流値検出回路３２からパルスが発生される。
【００３９】
このときの動作について、図２により説明すると、いま、時刻ｔ１で電源部４が立上り、このときスイッチ２１がオンになっていて、２０５ｍＡの定電流Ｉがカメラ側に供給されてしまったとすると、定電流値検出回路３２から図２（ｂ）に示すように、パルスＰが発生し、この結果、同図（ｃ）に示すように、電圧Ｖ２が発生する。
【００４０】
そして、この電圧Ｖ２は、上記したように、コンデンサ３４の静電容量と抵抗３５の抵抗値で決まる時定数に従って鋸歯状波に低下してゆき、この結果、図２（ｄ）に示すように、周期Ｔ０　で矩形波状に変化する制御信号Ｖ３が電圧比較器３６から発生され、これによりスイッチ３０がオンオフ制御されることになる。
【００４１】
これにより、カメラ１Ａに２０５ｍＡの定電流Ｉが供給された場合には、カメラ１Ａの電源がオンとオフを繰り返すことになり、この結果、カメラ１Ａに接続されているモニターの画面では、所定の周期Ｔ０　で映像が映出されたり消滅したりされてしまうようになり、いやでも目についてしまうようになる。
【００４２】
このときの電源がオン／オフする周期Ｔ０　は、操作者（オペレータ）の目につき易くするため、通常、１秒程度にされ、このため、コンデンサ３４の静電容量と抵抗３５の抵抗値で決まる時定数が、上記した所定値に設定されている。
【００４３】
従って、この実施形態によれば、電源部４を２０５ｍＡの定電流に設定したままで、つまりスイッチ２２をオンしたままで、１６０ｍＡ仕様のカメラに接続してしまったとしても、このことは、モニター画面から直ちにオペレータが認識でき、この結果、操作者による適切な対応が可能になり、無駄な電力消費や過熱による異常の発生を未然に防止することができる。
【００４４】
また、この結果、同じくこの実施形態によれば、２０５ｍＡ仕様の電源部を誤ってカメラ１Ａ、つまり１６０ｍＡ仕様のカメラに接続してしまったときでも、直ちに認識できるので、やはり無駄な電力消費や過熱による異常の発生を未然に防止することができる。
【００４５】
そして、これらの工夫により、上記実施形態によれば、今後の省電力化したカメラへのスムーズな移行を、旧形カメラの混在のもとでも容易に進めることができる。
【００４６】
次に、本発明の他の実施形態について、図３により説明する。ここで、この図３の実施形態は、図１で説明した本発明の実施形態における電源部４に代えて、電源部４Ａを設けたものであり、その他、カメラ１Ａと電源分離部２Ａは図１の実施形態と同じである。
【００４７】
また、電源部４Ａにおいても、図１の電源部４と異なっている点は、手動のスイッチ２２に代えて電子スイッチ４０を設け、更に電圧比較器４１と時間計測回路４２を設けて電圧検出回路とした上で、時間計測回路４２の計時出力Ｖ６により電子スイッチ４０のオンオフを制御するようにしたものである。
【００４８】
そして、まず電子スイッチ４０は、電源分離部２Ａにおけるスイッチ３０と同じくノーマリークローズド形の電子スイッチで、時間計測回路４２の計時出力Ｖ６が現れているときだけオフになり、これにより電源部４Ａから出力される定電流Ｉの値をオンのときの２０５ｍＡからオフしたときの１６０ｍＡに切換える働きをする。
【００４９】
次に、電圧比較器４１は、同軸ケーブル３に現れる線路電圧Ｖ４を基準電圧ＶＢと比較し、線路電圧Ｖ４が基準電圧ＶＢ以下のとき、つまりＶ４≦ＶＢになっているとき、比較信号Ｖ５を発生する働きをする。
【００５０】
そして、時間計測回路４２は、比較信号Ｖ５が発生したとき、その周期を基準周期と比較し、所定の許容差内になったとき計時信号Ｖ６を発生し、以後、この状態を保持し、計時信号Ｖ６が発生したままに保つ働きをする。
【００５１】
次に、この図３の実施形態の動作について、図４により説明すると、電源部４Ａの電子スイッチ４０はノーマリークローズド形なので、電源立ち上げ時、カメラ側には２０５ｍＡの定電流Ｉが供給されてしまい、この結果、これも上記したように、カメラ側にある電源分離部２Ａでは、２０５ｍＡの定電流Ｉを検出した結果、電子スイッチ３０が１秒程度の周期Ｔ０　でオンオフを開始する。
【００５２】
この様子は、図４の（ａ）〜（ｄ）に示されている通りであるが、この結果、線路電圧Ｖ４、つまり同軸ケーブル３に、電源部４Ａの定電流回路から供給されている定電流Ｉにより現れている電圧が、同じく図４の（ｅ）に示されているように、２０Ｖ近傍と３５Ｖ近傍に周期的に変化する。
【００５３】
このとき電圧Ｖ４が変化するのは、図４（ｄ）に示すように、電源分離部２Ａの電子スイッチ３０がオンオフされるからであり、ここでオン時に電圧Ｖ４が２０Ｖ近傍になるのは、カメラ１Ａに供給される直流電圧ＥＣＣ　が、シャントレギュレータ１７で２０Ｖに調整されているからであり、且つ、オフ時に３５Ｖ近傍になるのは、電源部４Ａの直流電源ＶＣＣ　が３５Ｖにしてあるからである。
【００５４】
そこで、電圧比較器４１の基準電圧ＶＢを、図４（ｅ）に示すように、２０Ｖから３５Ｖの間、つまり２０Ｖ＞ＶＢ＞３５Ｖになるように、例えば２５Ｖ近傍の電圧に設定することにより、この電圧比較器４１から、図４（ｆ）に示すように、周期的に変化する比較信号Ｖ５が発生され、これが時間計測回路４２に入力される。
【００５５】
そして、時間計測回路４２は、比較信号Ｖ５の周期が基準周期Ｔ０　に対して所定の偏差内になったとき、図４（ｇ）に示すように計時信号Ｖ６を発生し、この結果、電子スイッチ４０は、時刻ｔ１以降、オフされ、定電流Ｉを１６０ｍＡに切換える。
【００５６】
従って、この図３の実施形態によれば、カメラが２０５ｍＡ仕様であったときはそのままであるが、１６０ｍＡ仕様のカメラ１Ａの場合は、電子スイッチ４０により、電源部４Ａから出力される定電流Ｉが当初の２０５ｍＡから１６０ｍＡに自動的に切換えられるので、何らの配慮も要すること無く、そのまま動作を継続させることができる。
【００５７】
ここで、図１で説明した実施形態の場合、手動のスイッチ２２をオンのまま動作を開始させたとすると、モニター画面での画像表示が異常になることから、誤操作が認識でき、操作者が対応できるようにして問題が解決できる。
【００５８】
しかし、モニターが接続されてない場合や、モニターの電源が入っていないときは、この判断がつかないので、例えばカメラの設営時などに、長時間、この異常状態で放置されることがある。
【００５９】
この場合、カメラの電源がオン、オフの繰り返しになるので、回路にストレスが掛り、故障発生の可能性が生じ、また、設営時には、必ずカメラに合わせてスイッチ２２を設定する必要があり、取り扱いが面倒である。
【００６０】
しかしながら、この図３の実施形態によれば、カメラが２０５ｍＡ仕様であったときはそのままで何らの支障も生じ無いのは勿論として、１６０ｍＡ仕様のカメラ１Ａの場合でも、自動的に電子スイッチ４０が切換えられるので、何らの配慮も要せず、常にそのまま動作させることができる。
【００６１】
従って、この図３の実施形態によれば、回路にストレスによる故障発生の虞れがなく、面倒なスイッチの設定も不要になるので、短時間で簡単に、且つ容易にカメラを設営することができる。
【００６２】
ところで、上記した実施形態における時間計測回路４２としては、例えば、内蔵タイマーを利用したマイコンのプログラム動作により、比較信号Ｖ５の周期がＴ０（≒１ｓ）近傍の所定の許容差内になったとき、計時信号Ｖ６を発生するようにすればよく、この場合、安価な１チップマイコンで容易に対応することができる。
【００６３】
また、別の方法として、図５に一例として示すように、モノステーブルマルチバイブレータなどでタイマーを構成し、論理回路で論理をとることにより、時間計測回路４２を構成することもできる。
【００６４】
この図５に示した時間比較器４２は、図示のように、２個のＭＭＶ（モノステーブルマルチバイブレータ）４３、４４とアンドゲート４５、それにＦＦ（フリップフロップ）４６で構成され、電圧比較器４１から供給される比較信号Ｖ５の入力周期Ｔ０　が約０．５秒から約１．５秒の間の周期でオン／オフしたとき、計時出力Ｖ６をハイレベルにし、電子スイッチ２２をオフンにして、カメラ１Ａに供給される定電流値を２０５ｍＡから１６０ｍＡに切換える回路である。
【００６５】
ここで、ＭＭＶ４３、４４は何れもリトリガラブル（再トリガ可能）で、まず、１段目のＭＭＶ４３は、コンデンサ４３Ｃと抵抗４３Ｒにより時定数が０．５秒に設定され、この結果、比較信号Ｖ５の立上りエッジでトリガされる毎にパルス幅ｔ１（０．５秒）の信号Ａを発生する働きをする。
【００６６】
次に、２段目のＭＭＶ４４は、コンデンサ４４Ｃと抵抗４４Ｒにより、１．０秒の時定数に設定され、これにより、信号Ａの立下りエッジでトリガされる毎にパルス幅ｔ２（１秒）の信号Ｂを発生する働きをする。
【００６７】
また、アンドゲート４５は、信号Ｂと比較信号Ｖ５の論理積をとり、アンド出力Ｃを発生してＦＦ４６に供給する働きをし、ＦＦ４６は、抵抗４６Ｒとコンデンサ４６Ｃにより、電源投入時にリセットされ、以後、アンド出力Ｃが入力されたとき、計時出力Ｖ６を発生し、それを保持する働きをする。
【００６８】
そこで、次に、この図５の回路の動作について説明する。
【００６９】
いま、図３で説明したように、電源部４Ａに消費電流１６０ｍＡ仕様のカメラ１Ａが接続されたとすると、電圧比較器４１から比較信号Ｖ５が発生し、０．５秒〜１．５秒程度の周期Ｔ０　でレベル変化を開始する。
【００７０】
そうすると、この比較信号Ｖ５のオン／オフに応じて、その立上りエッジでＭＭＶ４３がトリガされるので、これからパルス幅ｔ１（０．５秒）の信号Ａが発生される。
【００７１】
次に、この信号Ａの立下りエッジで次段のＭＭＶ４４がトリガされるので、これからはパルス幅ｔ２（１秒）の信号Ｂが発生され、この結果、アンドゲート４５には、この信号Ｂが比較信号Ｖ５と共に供給されるようになる。
【００７２】
そこで、次に、このときの動作について、図６により説明する。ここで、まず図６（ａ）は、比較信号Ｖ５の周期Ｔ０　が０．５秒未満の場合で、次に同図（ｂ）は０．５秒以上１．５秒未満の場合であり、同図（ｃ）は１．５秒以上の場合である。
【００７３】
そして、まず、一番上の図６（ａ）の場合は、比較信号Ｖ５の周期ｔ１が０．５秒未満で、１秒に設定されている周期Ｔ０　未満なので、ＭＭＶ４３は最初の比較信号Ｖ５でトリガされた後、以後も順次、次々と入力される比較信号Ｖ５によりリトリガ（再トリガ）される。
【００７４】
この結果、ＭＭＶ４３の信号Ａは一旦ハイレベルになった後、そのまま維持され、立ち下がらないので、次段のＭＭＶ４４はトリガされず、その出力である信号Ｂはローレベルままを保つから、結局、この場合は、信号Ｂとアンド信号ＣもローレベルでＦＦ４６がトリガされないので、計時出力Ｖ６はローレベルに維持される。
【００７５】
次に、一番下の図６（ｃ）の場合は、比較信号Ｖ５の周期ｔ１が１．５秒以上で、１秒に設定されている周期Ｔ０　以上になっているので、比較信号Ｖ５によりＭＭＶ４３、４４が順次、信号Ａと信号Ｂを発生する。
【００７６】
しかし、この場合、最初の比較信号Ｖ５によりＭＭＶ４３、４４が順次トリガされた後、これらＭＭＶ４３、４４が単安定動作し終わって、ＭＭＶ４４の出力信号Ｂがローレベルに復帰した後で、次の比較信号Ｖ５が現れることになり、従ってアンドゲート４５では、そのアンド条件が整わないので、信号Ｃはハイレベルにならず、結局、この場合も計時出力Ｖ６はローレベルに維持される。
【００７７】
一方、真中の図６（ｂ）の場合は、比較信号Ｖ５の周期ｔ１が０．５秒以上で１．５秒未満の場合は、或る比較信号Ｖ５が現れてから０．５秒以上１．５秒が経過するまでの間、ＭＭＶ４４の出力信号Ｂがハイレベルになる。
【００７８】
そこで、このときは、ＭＭＶ４４の出力信号Ｂがハイレベルになっている間に次の比較信号Ｖ５が入力されてくるので、アンドゲート４５からアンド信号Ｃが発生してＦＦ４６をトリガし、この結果、以後、計時出力Ｖ６がハイレベルに設定される。
【００７９】
従って、この図５に示す回路により、上記実施形態における時間計測回路４２を構成することができ、本発明を実施することができる。
【００８０】
【発明の効果】
本発明によれば、カメラの駆動電流値の違いが認識できるようにしたので、低消費電力化したカメラと従来の電流値のカメラを意識せずに接続して使用することができるようになり、設営時のトラブルを低減できる。
【００８１】
また、この結果、今後主流となる省電力化したカメラへのスムーズな移行を可能にすることができる。
【図面の簡単な説明】
【図１】本発明によるテレビジョンカメラシステムの一実施形態を示すブロック構成図である。
【図２】本発明の一実施形態の動作を説明するための波形図である。
【図３】本発明によるテレビジョンカメラシステムの他の一実施形態を示すブロック構成図である。
【図４】本発明の他の一実施形態の動作を説明するための波形図である。
【図５】本発明の他の一実施形態における時間計測回路の一例を示すブロック構成図である。
【図６】時間計測回路の動作を説明するための波形図である。
【図７】従来技術によるテレビジョンカメラシステムの一例を示すブロック構成図である。
【図８】従来技術によるテレビジョンカメラシステムの他の一例を示すブロック構成図である。
【符号の説明】
１Ａ　カメラ（テレビジョンカメラ）
２Ａ　電源分離部
３　同軸ケーブル
４Ａ　電源部
５、８　コンデンサ（直流阻止用）
６、７　端子
９　増幅器
１０　映像出力コネクタ
１２　トランジスタ（定電流回路用）
１４　トランジスタ（定電圧回路用）
１５　抵抗（定電圧回路用）
１６　コンデンサ（定電圧回路用）
１７　シャントレギュレータ
２０、２１　抵抗（定電流回路用）
２２　スイッチ（手動スイッチ）
３０　電子スイッチ（電源オンオフ用）
３１　抵抗（シャント抵抗：定電流検出用）
３２　定電流値検出回路
３３　ダイオード（時定数回路用）
３４　コンデンサ（時定数回路用）
３５　抵抗（時定数回路用）
３６　電圧比較器（電源オンオフ用）
４０　電子スイッチ（定電流切換用）
４１　電圧比較器（定電流切換用）
４２　時間計測回路
４３、４４　ＭＭＶ（モノステーブルマルチバイブレータ）
４５　アンドゲート
４６　ＦＦ（フリップフロップ）
【図１】
2004096547.tif 000003
【図２】
2004096547.tif 000004
【図３】
2004096547.tif 000005
【図４】
2004096547.tif 000006
【図５】
2004096547.tif 000007
【図６】
2004096547.tif 000008
【図７】
2004096547.tif 000009
【図８】
2004096547.tif 000010